(57)【要約】【課題】  横臥時に頭部及び頸部をやや緩く安定的に保持し、使用者の微細な動きや揺らぎに柔らかく対応し、頸椎及び頸椎周辺の筋肉の負担を最小にする１対の袋体。【解決手段】  封筒状の袋を４つ用意し、使用者自身で充填材及び充填量を変更し易い開口部を設けて、使用者の微細な動きや揺らぎに柔らかく対応するように、主として流動性が少なく弾力性は充填量次第の化繊綿と弾力性は少なく流動性は充填量次第の粒状体を充填材として用いて、その４つの封筒状の袋に容積に対して適切な充填量に詰めて開口部を閉じて円筒状袋を４つ作り、２つ毎に長側面を平行に並べて、側頭部及び首側面を載置した時に頭部の熱を放出し易くした空間を持つように結合して、１対の袋体を２つ作成する。【選択図】図２
2016043229.tif 000002
【特許請求の範囲】
【請求項１】
織物又は不織布又はレザー等の１辺に開口部を設けた封筒状の２つの袋に、繊維又は粒状体を詰め開口部を閉じて円筒状にして、２つの袋を長側面を相対させ離間して平行に並べて、内側の相対する２乃至数箇所を結合し１乃至数箇所の空間を持つ１対の袋体を使用した枕。
【請求項２】
下敷きとして織物、不織布、スポンジ等のシートや立方体を用意し、織物又は不織布又はレザー等の１辺に開口部を設けた封筒状の２つの袋に、繊維又は粒状体を詰めて開口部を閉じ円筒状にして、２つの袋を長側面を相対させ離間して平行に並べ、先に用意した下敷きに面ファスナー、紐、糸等で結合した１対の袋体を使用した枕。
【請求項３】
織物又は不織布又はレザー等の略４角形の袋に１辺に開口部を設け、開口部の辺中央直角方向に幅の狭い平行した縫込みを施して出来た２つの両側のポケットに、繊維又は不織布又は樹脂粒状体を詰めて開口部を閉じて、中央の狭い平行した縫込み部分に１乃至数箇所切り開き１乃至数箇所の空間を持つ１対の袋体を使用した枕。
【発明の詳細な説明】
【技術分野】
【０００１】  本発明は、横臥姿勢に於いて頭部及び頸部を載置する枕の部分に関するものである。
【背景技術】
【０００２】  枕の変遷を概観すると、そば殻、木材粒、綿、化繊綿、樹脂チップ、空気、特許文献１の如く液体等の充填材の改良。
特許文献２の如く１体成型低反発発泡樹脂により仰臥姿勢と横臥姿勢向けに頭部又は頸椎部を載置する箇所の高さ及び形状に変化。
特許文献３の如く枕全体の内部を数部屋に分割しそれぞれの場所に応じた充填材を利用し、仰臥姿勢用と横臥姿勢用で高さの傾斜を少なくした枕等々がある。【０００３】  横臥姿勢では、肩の左右どちらか先端を壁に直角につけて直立し、壁から側頭部までの距離、また壁から首（頸椎周辺）までの距離が枕の高さの２つの基準と言われている。
また直立した場合真後ろから見て正常な頸椎及び胸椎は垂直（横臥姿勢では水平）に並んでいる。【０００４】  枕は睡眠時に頭部と首（頸椎周辺）を支えるものであるが、仰臥姿勢では後頭部と湾曲している首の後側、横臥姿勢では側頭部と首の横側と支える箇所が異なる。従って静止状態では、仰臥姿勢と横臥姿勢では枕の形状、高さが異なるが、寝返り動作のためには高さの差が少ない方が好都合である。【０００５】  仰臥姿勢には様々な工夫を凝らした枕はあるが、横臥姿勢ではあまり見受けない。【０００６】  従って、横臥姿勢で、側頭部の揺らぎを含めての収まり方、通気性、頸椎部及び頸椎周辺筋肉への負荷の少ない側頭部と頸椎部を載置する枕の上側部分を工夫することにした。
【先行技術文献】
【特許文献】
【０００７】
【特許文献１】特許公開２００４−２４９０８８号公報
【特許文献２】登録特許３１７３９００号公報
【特許文献３】特許公開２００７−８２５９０号公報
【発明の開示】
【発明が解決しようとする課題】
【０００８】  横臥姿勢で睡眠中の体の微妙な動きや揺らぎに対応出来、頸椎に負荷を掛けないようにした頭部及び頸部を載置する横臥姿勢用枕の部分。
【課題を解決するための手段】
【０００９】  上辺に開閉可能な充填口を設けた図１−１０に示す円筒状袋を２つ作成し、充填材を詰め充填口を閉じて、長方向に離間して平行に並べ内側の相対する箇所を結合して空間を有する図２に示す１対の袋体、又は結合せずに不織布やスポンジのシートを下に敷き固定して空間を有する図３に示す１対の袋体を枕の頭部及び頸部を載置する箇所に使用する。【００１０】  又は１対の袋体と略同サイズの袋に中央縦方向に幅の狭い図４−３１に示す２本の縫い込みを平行に入れて、上辺に開閉可能な充填口を設けて充填材をその両側の２つのポケット（袋）に詰め充填口を閉じて袋体を作成し、図４−３２に示す中央部をに示す切り開き図４−３３に示す空間を有する１対の袋体を枕の頭部及び頸部を載置する箇所に使用する。【００１１】  流動度は少ないが弾力性に富む化学繊維、又は流動性と弾力性の少ない樹脂粒状体を円筒状の袋に充填量を変えて充填して柔らかさと流動性の範囲の拡張を可能にする。【００１２】  充填材の少ない充填量では柔軟性又は流動性が過多になり頭部及び頸部を載せた後に下方への移動量が多くなり、頭部が適性位置に収まり難く頸椎にも負荷が生じる、多い充填量では硬過ぎて載せた頭部や頸部に痛みや緊張が起こり。適度な柔軟性や流動性は人によって異なり充填物の変更や充填量の調整が出来るようにすることが必要になる。【００１３】  ２つの袋に異なるサイズ、素材、充填量にを使用することより１対の袋体は載置される身体の部分の微妙な動きや揺らぎに対する適応性の他保温性や通気性の季節的変更要望にも適応性を持つ枕になる。【００１４】  図５−５０に示す何らかの仰臥姿勢用枕を図５−４０に示す枕全体を保持するシートの長方向中央に配置して、図２又は図３に示す横臥用１対の袋体２つを所要の高さに補助材料で調整して、左右に配置した実用としての１セットの枕の例を図５に示す。
【発明の効果】
【００１５】  形状から、頭部を囲まないので通気性の良さと好みの感触（あたり具合）を持つ。【００１６】  使用者の体型の変化、頸椎治療に依る変更等に追従して大幅な高さを除いて変更可能である。【００１７】  その形状から、横臥時に耳と顎関節を圧迫しない位置を簡単に探せる。【００１８】  消臭剤、芳香剤、ハーブ香料等を使用出来る。【００１９】  どの部分の素材でも洗濯可能なものを選べるので、そのまま洗濯可能である。【００２０】  またサイズ及び充填量で硬さを変え、肩、胸の高さの支持に工夫してうつ伏せ用に転用可能である。【００２１】  充填物と充填量の変更可能なので、使用者の私だけの（Ｍｙ  ｏｗｎ）枕になる。
【図面の簡単な説明】
【００２２】
【図１】図１は充填後の円筒状袋の平面図及び断面図。
【図２】図２は２つの袋を結合した１対の袋体の平面図。
【図３】図３は２つの袋を下敷きを利用して固定した１対の袋体の平面図
【図４】図４は中央に切り込みを入れた１対の袋体の平面図及び断面図。
【図５】図５は仰臥用枕を中央に、高さ調整後の横臥用１対の袋体を左右に配置した枕の斜視図。
【符号の簡単な説明】
【００２３】  １０は充填後の円筒状袋の全体。
１２は充填材
１３は閉じた状態の充填口。
１４は縫合した部分。
２０は高さ調整体を兼ねたシート又は立方体。
３１は縫い込みを入れた箇所。
３２は袋の中央の２本の縫込みをいれて出来た充填されない袋材２枚だけの箇所。
３３は袋材２枚だけの箇所の中央を切り取って生じさせた空間。
４０は組み合わせた枕全体を載置するシート。
５０はなんらかの仰臥用枕。
ａ、ｂ、ｃは図１の３箇所の断面図の場所を示す。
ｄ、ｅ、ｆは図４の３箇所の断面図の場所を示す。
【発明を実施するための最良の形態】
【００２４】布又はメッシュ地の封筒状布袋を４つ用意し、長方形の短い片方の辺に紐やファスナーを付けた充填口を設け、使用者の体型及び好みを考慮して、流動度は少ないが弾力性に富む化学繊維又は流動性と弾力性のやや少ない樹脂粒状体を、充填量による硬さと流動性を決めて、詰めて充填口を閉じ、図１に示す略円筒状の袋を４つ作成し、２つを長方向側面を相対して離間して並べ図２−１４に示す内側両端を糸で結合し部分的に空間を持つ１対の袋体を作成する。【００２５】  全体を保持する為の図５−４０に示すスポンジや不織布のシート等に、横長方向中央を空け図５−５０に示すなんらかの仰臥用枕を配置し、図２に示す１対の袋体２つを左右の位置に載置し固定して１セットの枕として利用する。
【実施例１】
【００２６】幅約２７０ｍｍ奥行き約２３０ｍｍの敷き布団地用布４枚用意し、２７０ｍｍ側を２つに折り１３５ｍｍ１辺と２３０ｍｍ１辺縫い代５ｍｍで縫合し表と裏を返して開口部にファスナーを取り付け横１３０ｍｍたて２２５ｍｍの布袋の上辺１３０ｍｍの開口部を持つ布袋を４つ作成した。【００２７】  ４つの布袋に市販の流動度の低い長さ８ｍｍ直径６ｍｍ厚さ１０ｇ当たり４５０個の充填用ポリエステルパイプチップを同一の高さになるように略同量詰めて充填口を閉じて出来た図１に示す円筒状の布袋を４つ作成した。【００２８】  図１に示す作成した袋を２つを長方向側面を相対して平行に並べ内側の両端を縫合して奥行き略２２０ｍｍ幅略２００ｍｍ図２に示す１対の袋体を作成し、同じくもう１対の袋体を作成した。【００２９】  枕全体を支える図５−４０に示す不織布のシートを用意して、中央部に図５−５０に例示するなんらかの仰臥用奥行き２３０ｍｍ幅略２００ｍｍの枕を設置し、左右に図３に示す高さ調整をした１対の袋体を設置しセットの枕とした。尚２つの１対の袋体はしばらく試用して位置が決まるまで固定しない。
【実施例２】
【００３０】  幅約２８０ｍｍ奥行き２３０ｍｍの敷き布団地用の布を４枚用意し、２８０ｍｍ側を２つに折り１４０ｍｍ１辺と２３０ｍｍ１辺縫い代５０ｍｍで縫合し表と裏を返して、横１３０ｍｍ縦２２５ｍｍの紐やファスナーを取り付けた開口部１３０ｍｍの布袋を４つ用意した。【００３１】  ２つの布袋に市販の流動度の低い長さ８ｍｍ直径６ｍｍ厚さ１０ｇ当たり４５０個の充填用のポリエステルパイプチップを詰めて円筒状布袋を２つ作成した。【００３２】  ２つの布袋に市販の殆んど流動性が無く充填具合で変化する弾性を持つポリエステル綿を詰めて円筒状布袋を２つ作成した。【００３３】  ポリエステル綿を詰めた円筒状布袋と、ポリエステルパイプチップを詰めた円筒状布袋を、長方向側面を相対して平行に並べ内側の両端を縫合して１対の袋体を２つ作成した。【００３４】  ポリエステル綿は保温性があり弾力性を持たせた充填量で頸椎を安定的に保持する、ポリエステルパイプチップは通気性に富み窪み量が少なく頭部を安定的に保持する。【００３５】  枕全体を支える奥行き２３０ｍｍ幅６２０ｍｍのスポンジシートを用意して、中央部になんらかの仰臥用枕を設置し、２つの１対の袋体をポリエステル綿を詰めた袋を肩側にして開口部を横方向外側にして左右に設置し１セットの枕とした。
【実施例３】
【００３６】横幅３２０ｍｍ奥行き２３０ｍｍの敷き布団地用の布を４枚用意し、３２０ｍｍ側を２つに折り１６０ｍｍにして側面１辺と底辺１辺縫い代５０ｍｍで縫合し表と裏を返して開口部に紐やファスナーをつけて横幅１５０ｍｍ奥行き２３０ｍｍの布袋を２つ用意した。【００３７】  ２つの布袋に市販の流動度の低い長さ８ｍｍ直径６ｍｍ厚さ１０ｇ当たり４５０個の充填用のポリエステルパイプチップを詰めて開口部を閉じて図１に示す円筒状布袋を２つ作成した。【００３８】  ２つの円筒状袋を長側面を相対して平行に並べ内側両端を縫合軸合し図２に示す１対の袋体を作成した。【００３９】  胸部や腹部を持上げるように長座布団や２枚の座布団等を用意し、この１対の袋体に離間した箇所に鼻がくるように顔を置き、うつ伏せ用に使用した。
【図１】
2016043229.tif 000003
【図２】
2016043229.tif 000004
【図３】
2016043229.tif 000005
【図４】
2016043229.tif 000006
【図５】
2016043229.tif 000007